(57)【要約】【課題】表示部材の位置が邪魔になることなく商品の出し入れができ、陳列空間の有効利用も図ることのできる陳列用具及びその上部ユニットを提供する。【解決手段】商品Ｇを陳列する支持部材１１と、これの上部に配置されたユニット本体１２と、当該ユニット本体１２の前端部位置で商品関連情報を表示する表示部材１３とにより陳列用具１０が構成されている。ユニット本体１２の前部は、本体部２０よりも上位に変位した延長部２１とされ、表示部材１３を押して後方に回転させたときの受容部Ｃを形成する。また、支持部材１１の前端側は上向き傾斜部１５として形成され、その前端が延長部２１の基部側下方に位置する長さに設定されている。【選択図】          図１
2004267473.tif 000002
【特許請求の範囲】
【請求項１】
商品を吊り下げて前後方向に陳列する支持部材の上部に配置されるユニット本体と、このユニット本体の前部に回転可能に支持されるとともに、常時は自重により垂下して前記商品の関連情報を前方に向けて表示する表示部材とを備えた陳列用具の上部ユニットにおいて、
前記ユニット本体は、前記支持部材と略平行に延びる本体部と、この本体部の前方に連なる延長部を含み、前記延長部は、本体部に対して上位に変位した領域を備えていることを特徴とする陳列用具の上部ユニット。
【請求項２】
前記表示部材は下端を自由端として前後方向に回転可能に設けられ、前記下端側を後方に押して回転させたときに、前記本体部の略下縁位置よりも上方の領域内に位置することを特徴とする請求項１記載の陳列用具の上部ユニット。
【請求項３】
商品を吊り下げて前後方向に陳列する支持部材と、この支持部材の上部に配置されたユニット本体と、このユニット本体の前部に回転可能に支持されるとともに、常時は自重により垂下して前記商品の関連情報を前方に向けて表示する表示部材とを備えた陳列用具において、
前記ユニット本体は、前記支持部材と略平行に延びる本体部と、この本体部の前方に連なるとともに、前記本体部に対して上位に変位した領域を備えた延長部とにより構成され、
前記支持部材は、その前端側に上向き傾斜部を備えて構成されるとともに、当該上向き傾斜部の前端が前記延長部の基部側下方に位置する長さに設定されていることを特徴とする陳列用具。
【発明の詳細な説明】
【０００１】
【発明の属する技術分野】
本発明は陳列用具及びその上部ユニットに係り、更に詳しくは、商品の関連情報を表示する表示部材が邪魔にならず、また、商品を吊り下げた状態で陳列する棒状の支持部材と、これの上部に配置される上部ユニットとの間の寸法を小さく設定することのできる陳列用具及びその上部ユニットに関する。
【０００２】
【従来の技術】
従来より、例えば、文具或いは日用小物類等の商品を個々若しくは複数を梱包単位としてパッケージし、当該パッケージの上部に形成された穴を利用して商品を多数吊り下げた状態で陳列することが行われている。また、パッケージの上部に穴を設けずに、当該パッケージの上端から突出するフックを設けておき、このフックを利用して商品を陳列することも行われている。
【０００３】
商品陳列に用いられる陳列用具としては、例えば、図９に示されるタイプのものが知られている。この陳列用具は、所定の陳列什器に対し、前後方向（図９中左右方向）に延びて側面視略Ｌ字状をなす丸軸状の上部ユニット９１と、この上部ユニット９１の前端部に取り付けられた表示部材９２と、上部ユニット９１の水平軸部９１Ａと略平行に配置されて商品Ｇを前後方向に複数支持するように設けられた丸軸状の支持部材９３と、当該支持部材９３の後端部に溶接等の手段を介して設けられた取付部材９５とを備えて構成されている。この陳列用具は、取付部材９５を陳列什器側のバー等に引っ掛けて陳列什器の前方領域に突出するように支持され、これにより、当該前方領域に多数の商品Ｇが吊り下げられて陳列可能となる。
【０００４】
前記表示部材９２は樹脂プレート等により構成されており、当該表示部材９２の前面を表示面として商品の品名や、価格等の商品関連情報を表示したラベル等が貼着されるようになっている。ここで、表示部材９２は、上部ユニット９１の前端側に蝶番９７等を介して取り付けられており、常時は表示面が略鉛直面内に位置する表示位置を取る一方、必要に応じて図中時計方向及び半時計方向に回転させて商品Ｇの出し入れが行えるようになっている
【０００５】
【発明が解決しようとする課題】
しかしながら、このような陳列用具にあっては、表示部材９２の存在が商品Ｇの取り出しや補充に際して邪魔になる、という不都合がある。特に、商品Ｇを支持部材９３に補充する際に、表示部材９２を図９中時計方向に回転させて退避位置とすることなく半時計方向に回転させて作業を行うと、商品Ｇのパッケージ上端部が表示部材９２に干渉してしまうという不都合がある。このような不都合は、上部ユニット９１と支持部材９３との間の離間幅を大きく設定することで、表示部材９２の存在が邪魔になることを回避可能となるが、このような離間幅とした場合には、上段又は下段に商品を陳列するための同様の陳列用具を配置したときの陳列空間を狭めてしまう、という別異の不都合を招来することとなる。
【０００６】
【発明の目的】
本発明は、このような不都合に着目して案出されたものであり、その目的は、商品を支持部材に補充する作業に際して、表示部材の位置が邪魔になることがなく、また、陳列空間の有効利用を図ることのできる陳列用具及びその上部ユニットを提供することにある。
【０００７】
【課題を解決するための手段】
前記目的を達成するため、本発明は、商品を吊り下げて前後方向に陳列する支持部材の上部に配置されるユニット本体と、このユニット本体の前部に回転可能に支持されるとともに、常時は自重により垂下して前記商品の関連情報を前方に向けて表示する表示部材とを備えた陳列用具の上部ユニットにおいて、
前記ユニット本体は、前記支持部材と略平行に延びる本体部と、この本体部の前方に連なる延長部を含み、前記延長部は、本体部に対して上位に変位した領域を備える、という構成を採っている。このような構成によれば、延長部の位置が本体部の位置よりも高い位置となる。従って、表示部材を押して後方に回転させたときに、当該表示部材の位置を高い位置まで押し上げることが可能となる。そのため、本体部に対して高さ位置が同一となる延長部とした場合における表示部材の高さ位置に比べたときに、表示部材と支持部材との間の離間幅を相対的に大きく確保することが可能となり、これにより、表示部材を押して後方に回転させた状態でも、商品の出し入れ作業の邪魔になることが回避される。
【０００８】
また、本発明は、商品を吊り下げて前後方向に陳列する支持部材と、この支持部材の上部に配置されたユニット本体と、このユニット本体の前部に回転可能に支持されるとともに、常時は自重により垂下して前記商品の関連情報を前方に向けて表示する表示部材とを備えた陳列用具において、
前記ユニット本体は、前記支持部材と略平行に延びる本体部と、この本体部の前方に連なるとともに、前記本体部に対して上位に変位した領域を備えた延長部とにより構成され、
前記支持部材は、その前端側に上向き傾斜部を備えて構成されるとともに、当該上向き傾斜部の前端が前記延長部の基部側下方に位置する長さに設定される、という構成を採っている。このような構成によれば、例えば、上段側に別途の陳列用具を配置し、上下方向にデッドスペースを殆ど生じない程度に商品を支持した場合でも、前記延長部は、上段の陳列用具の最前部にある商品よりも手前側に位置するようになる。従って、延長部を本体部に対して高い位置に変位させた場合であっても、上下間の商品陳列スペースを無駄に消費することはない。
【０００９】
【発明の実施の形態】
本発明において、前記表示部材は下端を自由端として前後方向に回転可能に設けられ、前記下端側を後方に押して回転させたときに、前記本体部の略下縁位置よりも上方の領域内に位置する、という構成を採っている。これにより、前記本体部と支持部材との離間幅を前方で大きく狭めてしまう不都合を解消することができる。
【００１０】
【実施例】
以下、本発明の実施例を図面を参照しながら説明する。
【００１１】
図１には、本実施例に係る陳列用具の概略側面図が示されている。この図において、陳列用具１０は、商品Ｇを吊り下げて前後方向に複数陳列する支持部材１１と、この支持部材１１の上部位置に配置された上部ユニット１２と、この上部ユニット１２の前部に回転可能に支持された表示部材１３と、前記支持部材１１の後端部に設けられて図示しない陳列什器のバーに引っ掛け可能に設けられる取付部材１４とにより構成されている。ここで、商品Ｇは、上部に支持用の穴Ｐ１を有するパッケージＰに包装された状態で陳列可能となっている。
【００１２】
前記支持部材１１は、図２及び図３にも示されるように、本実施例では、ステンレス等からなる丸軸材料により形成されているとともに、その前端側に上向き傾斜部１５を備えた形状をなし、当該上向き傾斜部１５によって支持部材１１に吊り下げられた商品Ｇの自然脱落が防止されるようになっている。この支持部材１１の後部は、前記取付部材１４に溶接等の手段を介して固定されている。取付部材１４は、支持部材１１の溶接面をなす略方形板状の平面部１７と、この平面部１７の前端及び後端からそれぞれ略平行な姿勢で垂下する前面部１８及び後面部１９とにより構成されている。前面部１８の上下方向長さ、すなわち高さは、後面部１９の高さよりも大きく設定されている。なお、支持部材１１は、前記上向き傾斜部１５の前端が、後述する延長部の基部側下方に位置する長さに設定されている。
【００１３】
前記上部ユニット１２は、図４ないし図６にも示されるように、樹脂材料を用いた成形品により構成されている。この上部ユニット１２は、支持部材１１と略平行に延びるとともに側面視略Ｌ字状をなす本体部２０と、この本体部２０の前端側に連なる延長部２１と、本体部２０の後部に起立部２４を介して設けられたベースブロック２２とにより構成されている。本体部２０及び延長部２１は、その断面形状が略Ｉ型若しくはＨ型に設けられており、これにより、樹脂成形品としても一定の強度維持が可能となっている。なお、図３では、ベースブロック２２が起立部材と分離した状態で示されているが、実際には、これらは樹脂一体成形品として形成される。
【００１４】
前記延長部２１は、図７に示されるように、本体部２０に対して屈曲部２３を介して上位に変位した位置で本体部２０の延長線上に設けられている。この延長部２１は、前端側の上下幅が後端側すなわち基端側の上下幅に対して細くなる先細形状をなし、当該延長部２１の上面２１Ａは、略水平位置に近い状態に設けられている一方、下面２１Ｂは、前端側が基端側よりも高くなる傾斜面内に位置するように設けられている。ここで、本体部２０の下面２０Ａを前方に延長した仮想線Ｌと、延長部２１の下面２１Ｂとの間に表示部材１３の受容部がＣが形成され、この受容部Ｃ内に表示部材１３が位置したときに、当該表示部材１３が本体部２０の略下縁すなわち略下面２０Ａの位置よりも上方領域に位置するようになっている。なお、延長部２１の前端には、上部に割り溝２５を備えた円筒類似のフック２６が形成されており、当該フック２６に表示部材１３が引っ掛けられるようになっている。
【００１５】
前記上部ユニット１２のベースブロック２２は、図４ないし図６に示されるように、支持部材１１の後部領域を上方からカバーするように当該支持部材１１に嵌合するトンネル状部３０と、このトンネル状部３０を形成する一対の側壁３０Ａ，３０Ａ外面から外側に向かって略水平方向に突出する一対の翼部３１，３１とにより構成されている。トンネル状部３０は、下部側壁間の内寸法が支持部材１１の軸径よりも小さくなっており、これにより、トンネル状部３０が支持部材１１に嵌合したときに、当該支持部材１１の軸回りを強く締め付けるように作用する。
【００１６】
前記トンネル状部３０において、その前部側には、前記側壁３０Ａ，３０Ａよりも下方に延びる延長側壁３０Ｂ，３０Ｂが形成され、これらの延長側壁３０Ｂ，３０Ｂの後端縁３０Ｃ，３０Ｃ（図６参照）が前記取付部材１４の前面部１８に接触するようになっている。従って、前記後端縁３０Ｃ，３０Ｃが取付部材１４の前面部１８に接触した位置で、上部ユニット１２は、後方への移動が規制されることとなり、当該上部ユニット１２の前端位置が一定の位置に保たれることとなる。
【００１７】
前記表示部材１３は、その前面側に商品関連情報を示したラベル等が貼付可能とされている。この表示部材１３は、図３及び図７に示されるように、略方形の板状をなす表示面４０と、この表示面４０の上端部略中央に設けられた把手状の吊り下げ部４１とにより構成されている。吊り下げ部４１は、一対の起立軸４１Ａ，４１Ａと、これら起立軸４１Ａの上端間に位置する水平軸４１Ｂとからなる。水平軸４１Ｂの直径は、前記フック２６の割り溝２５より大きく、且つ、フック２６の内径よりも小さく形成され、これにより、表示部材１３が、図７中時計方向及び半時計方向に向かってフリーな状態で回転可能となっている。なお、表示部材１３は、常時は、自重によって表示面４０が略鉛直面内に位置して前方に向かう姿勢に保たれ、また、表示部材１３の上下方向長さは前記受容部Ｃに丁度収まる長さに設定されている。
【００１８】
次に、本実施例における陳列用具１０の作用について、図８をも参照しながら説明する。
【００１９】
ここでは、図８に示されるように、所定の陳列什器側に陳列用具１０，１０が上下各段に配置されているものとし、それぞれの陳列用具１０，１０の各支持部材１１に商品Ｇがそれぞれ吊り下げた状態で支持されているものとする。
【００２０】
商品Ｇを取り出すときは、最前部にある商品Ｇを前方（図８中左方向）に引き抜くようにすればよい。商品Ｇが上向き傾斜部１５を抜けるときは、パッケージＰの上端は上方に変位しながら前方に移動する。この際、表示部材１３の背面側にパッケージＰの上端がぶつかることになるが、当該表示部材１３は時計方向への回転が許容されるため、商品Ｇの取り出しを阻害することはない。一方、商品Ｇを支持部材１１に支持させるときは、パッケージＰの上端が表示部材１３の前面側にぶつかって当該表示部材１３を半時計方向に回転させるが、この表示部材１３は、延長部２１の下部領域となる受容部Ｃ内に略収まる位置まで退避できることになるため、表示部材１３の存在が邪魔となって商品Ｇを支持部材１１に支持させることを困難にすることはない。
【００２１】
また、図８に示されるように、上段の陳列用具１０に支持された商品Ｇ若しくはパッケージＰの下端が、下段の陳列用具１０の上部ユニット１２における本体部２０に非常に接近した位置にある場合でも、支持部材１１の上向き傾斜部１５の前端が延長部２１の基部側下方に位置する長さ設定となっているため、上段側の陳列用具１０に支持された最前端の商品Ｇが下段側の延長部２１に干渉してしまう不都合も生じない。従って、上段の商品Ｇの下端を下段の本体部２０に接近させた配置が可能となり、上下方向における陳列空間の無駄も生じることがない。
【００２２】
なお、上部ユニット１２と支持部材１１との組み立てに際しては、支持部材１１の後部上方からベースブロック２２を押し込むようにして行うことができる。そして、ベースブロック２２のトンネル状部３０内に支持部材１１を嵌合させた状態で、当該ベースブロック２２を後方移動させて延長側壁３０Ｂの後端縁３０Ｃを取付部材１４の前面部１８に突き当てるように接触させればよい。これにより、上部ユニット１２は、支持部材１１に対して前後方向位置が一定に保たれることになり、多数の陳列用具１０を陳列什器に支持させた状態で、表示部材１３の前後方向位置にばらつきを生じさせてしまう不都合を確実に解消することができる。
【００２３】
従って、このような実施例によれば、商品Ｇの出し入れ操作をスムースに行うことができるとともに、商品陳列空間を有効に利用可能になる、という効果を得ることができる。
【００２４】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、材料、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記実施例では、上部ユニット１２が断面Ｉ型若しくはＨ型の樹脂成形品を採用した場合を説明したが、当該上部ユニット１２も支持部材１１と同様に、丸軸金属材により形成することができる。また、ベースブロック２２は、取付部材１４を前後で挟むことが可能な形状とすることもできる。但し、前記実施例のように、ベースブロック２２の後方への移動を規制するシンプルな構成とすれば、各種の形状を備えた取付部材への適用が可能となり、上部ユニット１２を支持部材１１に着脱自在とした場合の汎用性を確保できるという効果を得る。また、延長部２１は、屈曲部２３を介して上位に変位した位置で本体部２０の前方に延びる構成としたが、例えば、延長部の前後方向中間部が最も高い位置となるようにし、当該高い位置の前後を次第に低くした傾斜状に形成することもできる。要するに、延長部２１は、上部ユニット１２に対して上位の商品陳列空間を狭めるような影響を与えることがなく、また、表示部材を後方へ回転させたときに、支持部材に対して商品を出し入れする際の妨げとなることがない逃げ代、つまり、実施例で示した受容部又はこれに類似する領域が確保されるものであればその他の形状を採用することができる。
【００２６】
【発明の効果】
以上説明したように、本発明に係る陳列用具の上部ユニットよれば、表示部材を押して回転させたときに、当該表示部材の位置を高い位置に移動させることができ、表示部材を押して後方に回転させた状態でも、商品の出し入れ作業の邪魔になることが回避可能となる。
【００２７】
また、本発明に係る陳列用具によれば、上段及び下段に陳列用具を配置した状態で、上下方向にデッドスペースを生じないように商品を支持させても、前記延長部が上段の陳列用具の最前部にある商品の手前側に位置するようになるから、延長部を本体部に対して高い位置に変位させた場合であっても、上下間の商品陳列スペースを無駄に消費することはない。
【図面の簡単な説明】
【図１】陳列用具の概略側面図。
【図２】上部ユニットを支持部材とを分離した状態の斜視図。
【図３】前記陳列用具の分解斜視図。
【図４】図１のＡ−Ａ線に沿う矢視拡大断面図。
【図５】図１のＢ−Ｂ線に沿う矢視拡大断面図。
【図６】図１のＣ−Ｃ線に沿う矢視拡大断面図。
【図７】前記陳列用具の前部拡大図。
【図８】前記実施例に係る陳列用具の作用を説明するための側面図。
【図９】従来の陳列用具を示す側面図。
【符号の説明】
１０  陳列用具
１１  支持部材
１２  上部ユニット
１３  表示部材
１４  取付部材
２１  延長部
２２  ベースブロック
Ｃ  受容部
Ｇ  商品
【図１】
2004267473.tif 000003
【図２】
2004267473.tif 000004
【図３】
2004267473.tif 000005
【図４】
2004267473.tif 000006
【図５】
2004267473.tif 000007
【図６】
2004267473.tif 000008
【図７】
2004267473.tif 000009
【図８】
2004267473.tif 000010
【図９】
2004267473.tif 000011